(57)【要約】【解決手段】適応型周波数再利用技術下で、セルラ直交周波数分割多元接続（OFDMA）システム中の移動局は、適当な周波数再利用パターンを有する異なる無線リソース領域によりサーブされて、インターセル干渉を軽減し、システム容量を改善する。第一新規態様で、移動局は干渉統計値を計測し、干渉計測結果を得られる。移動局は、得られた干渉計測結果をサービング基地局に報告する。サービング基地局は、受信した干渉計測結果に基づいて、適応型周波数再利用パターンを決定する。第二新規態様で、無線リソース制御素子は干渉計測結果を受信して、周波数再利用パターンを決定し、受信した干渉計測結果に基づいて、無線リソース割り当てを設定する。第三新規態様で、基地局は、干渉計測結果を得て、移動局が適当な無線リソース領域とサーブされるように手配する。
2011502380.tif 000002
【特許請求の範囲】
【請求項１】
干渉計測結果を提供する方法であって、少なくとも一つの移動局により、OFDMAセルラシステムを支援して、周波数再利用を可能にし、
（ａ）時間−周波数領域上で、少なくとも一つの移動局（その移動局はサービング基地局によりサーブされるセル内に位置する）により、干渉統計値を計測し、それによりOFDMAセルラシステム中の干渉計測結果を得るステップと、
（ｂ）前記干渉計測結果を前記サービング基地局に報告するステップと、
からなり、
前記移動局は、サービング基地局によりサーブされるセル中に位置することを特徴とする干渉計測結果を提供する方法。
【請求項２】
前記干渉計測結果は、前記干渉統計値により生成され、前記干渉計測結果は、少なくとも一つの干渉電力、信号対干渉比SIR、信号対干渉プラス雑音比SINR、干渉局の第一索引指標、及び、無線リソース領域の第二索引指標を含むことを特徴とする請求項１に記載の干渉計測結果を提供する方法。  
【請求項３】
（ａ）中の前記計測は、前記時間−周波数領域上で、一個、或いは、それ以上の干渉局から受信した信号電力を計測するステップを含み、前記サービング基地局は、前記時間−周波数領域上で信号を伝送しないことを特徴とする請求項１に記載の干渉計測結果を提供する方法。
【請求項４】
（ａ）中の前記計測は、一個、或いは、それ以上の干渉局からの参考信号電力を計測するステップを含み、前記サービング基地局は前記時間―周波数領域上で信号を伝送することを特徴とする請求項１に記載の干渉計測結果を提供する方法。
【請求項５】
（ａ）中の前記計測は、前記移動局が、前記サービング基地局から伝送された信号、及び、一つ、或いは、それ以上の干渉局からの信号を識別するステップを含み、前記サービング基地局は前記時間―周波数領域上で信号を伝送することを特徴とする請求項１に記載の干渉計測結果を提供する方法。
【請求項６】
前記第一索引は、一つ、或いは、それ以上の索引値を含み、前記干渉局の一つ、或いは、それ以上のプリコーディングベクトルの指標であることを特徴とする請求項２に記載の干渉計測結果を提供する方法。
【請求項７】
前記第二索引は、好ましい無線リソース領域の指標値と、好ましくない無線リソース領域の指標値中の少なくとも一つを含み、前記好ましい無線リソース領域は、最高SINRか最低干渉電力を有することにより定義され、前記の好ましくない無線リソース領域は、最低SINRか最高干渉電力により定義されることを特徴とする請求項２に記載の干渉計測結果を提供する方法。
【請求項８】
前記時間―周波数領域は、前記サービング基地局から伝送される無線リソース割り当て情報に基づいて得られることを特徴とする請求項１に記載の干渉計測結果を提供する方法。
【請求項９】
更に、
（ｃ）前記サービング基地局から干渉計測指示を受信するステップを含み、前記干渉計測指示は、前記指定された時間―周波数領域を示すことを特徴とする請求項１に記載の干渉計測結果を提供する方法。
【請求項１０】
更に、
（ｄ）前記サービング基地局に干渉計測要求を伝送するステップと、
からなることを特徴とする請求項９に記載の干渉計測結果を提供する方法。  
【請求項１１】
前記セルは異なる無線リソース領域に分割され、前記移動局は、対応する周波数再利用パターンを有する対応無線リソース領域によりサーブされることを特徴とする請求項２に記載の干渉計測結果を提供する方法。
【請求項１２】
前記干渉統計値は、異なる無線リソース領域上で、前記移動局により計測されることを特徴とする請求項１１に記載の干渉計測結果を提供する方法。  
【請求項１３】
前記干渉統計値は、適応型周波数再利用に用いられ、前記周波数再利用パターンは、前記干渉電力とスレショルド値を比較することにより決定されることを特徴とする請求項１１に記載の干渉計測結果を提供する方法。
【請求項１４】
前記干渉統計値は、適応型周波数再利用に用いられ、前記周波数再利用パターンは、前記SINRと前記スレショルド比を比較することにより決定されることを特徴とする請求項１１に記載の干渉計測結果を提供する方法。
【請求項１５】
干渉計測結果を提供する移動局であって、OFDMAセルラシステムを支援して、周波数再利用を可能にし、
干渉統計値を計測し、前記OFDMAセルラシステム中の前記干渉計測結果を得る計測モジュールからなり、前記移動局は、前記干渉計測結果をネットワーク素子に報告することを特徴とする干渉計測結果を提供する移動局。
【請求項１６】
前記干渉計測結果は、前記干渉統計値により得られ、前記干渉計測結果は、少なくとも一つの干渉電力、信号対干渉比（SIR)、信号対干渉プラス雑音比（SINR)、干渉局の第一索引指標、無線リソース領域の第二索引指標を含むことを特徴とする請求項１５に記載の干渉計測結果を提供する移動局。
【請求項１７】
前記ネットワーク素子は、前記移動局をサーブするサービング基地局であることを特徴とする請求項１５に記載の干渉計測結果を提供する移動局。
【請求項１８】
前記計測モジュールは、指定された時間―周波数領域上で、前記干渉統計値を計測し、前記サービング基地局は、前記指定された時間―周波数領域上で、信号を伝送しないことを特徴とする請求項１７に記載の干渉計測結果を提供する移動局。
【請求項１９】
前記計測モジュールは、指定された時間―周波数領域上で、前記干渉統計値を計測し、前記サービング基地局が、前記時間―周波数領域上で信号を伝送する時、前記計測モジュールは、更に、特定の干渉局からの少なくとも一つの干渉信号を識別することを特徴とする請求項１７に記載の干渉計測結果を提供する移動局。
【請求項２０】
前記計測モジュールは、プログラム可能なソフトウェアモジュールを含むことを特徴とする請求項１５に記載の干渉計測結果を提供する移動局。
【請求項２１】
移動局であって、
トランシーバと、
OFDMAセルラシステム中で、干渉統計値を計測し、干渉計測結果を得る計測手段と、
からなり、前記手段は、前記干渉計測結果を前記OFDMAセルラシステムのネットワーク素子に報告することを特徴とする移動局。
【請求項２２】
前記ネットワーク素子は前記移動局をサーブするサービング基地局であることを特徴とする請求項２１に記載の移動局。
【請求項２３】
無線リソース割り当てを設定する方法であって、
（ａ）OFDMAセルラシステムのセル中に位置する移動局の干渉計測結果を得るステップと、
（ｂ）周波数結果を決定し、前記干渉計測結果の一部に基づいて、対応する無線リソース割り当てを設定するステップと、
からなることを特徴とする無線リソース割り当てを設定する方法。
【請求項２４】
各セルのフレームは、幾つかの無線リソース領域に分割され、各移動局は、対応する周波数再利用パターンを有する対応無線リソース領域によりサーブされることを特徴とする請求項２３に記載の無線リソース割り当てを設定する方法。
【請求項２５】
（ｂ）中の周波数再利用パターンの決定は、前記移動局の受信した干渉電力と所定のスレショルド値を比較することによって決まることを特徴とする請求項２３に記載の無線リソース割り当てを設定する方法。
【請求項２６】
（ｂ）中の周波数再利用パターンの決定は、前記移動局の受信したSINRと所定のスレショルド比と比較することによって決まることを特徴とする請求項２３に記載の無線リソース割り当てを設定する方法。
【請求項２７】
（ｂ）中の周波数再利用パターンを決定するステップは、
各セルの無線リソース領域の数量と大きさ、及び、各無線リソース領域の周波数再利用因子を決定するステップを含むことを特徴とする請求項２４に記載の無線リソース割り当てを設定する方法。
【請求項２８】
（ｂ）中の周波数再利用パターンを決定するステップは、
近接するセル間で、各無線リソース領域に用いられる時間―周波数領域を定義、及び、同期するステップを含むことを特徴とする請求項２４に記載の無線リソース割り当てを設定する方法。
【請求項２９】
（ｂ）中の無線リソース割り当てを設定するステップは、
各無線リソース領域の伝送電力を決定するステップを含むことを特徴とする請求項２４に記載の無線リソース割り当てを設定する方法。
【請求項３０】
（ｂ）中の無線リソース割り当てを設定するステップは、
各無線リソース領域のアンテナ配置を決定するステップを含むことを特徴とする請求項２４に記載の無線リソース割り当てを設定する方法。
【請求項３１】
（ｂ）中の無線リソース割り当てを設定するステップは、
各無線リソース領域のチャネライゼーションフォーマットを決定するステップを含むことを特徴とする請求項２４に記載の無線リソース割り当てを設定する方法。
【請求項３２】
（ｂ）中の前記決定と設定ステップは、前記OFDMAセルラシステムの集中型無線リソース制御素子により実行されることを特徴とする請求項２３に記載の無線リソース割り当てを設定する方法。
【請求項３３】
（ｂ）中の前記決定と設定ステップは、前記OFDMAセルラシステムの近接する基地局間の調和により実行されることを特徴とする請求項２３に記載の無線リソース割り当てを設定する方法。
【請求項３４】
OFDMAセルラシステムであって、
干渉統計値を計測し、干渉計測結果を得る複数の移動局と、
前記干渉計測結果を受信し、周波数再利用パターンを決定して、受信された干渉計測結果の一部に基づいて、対応無線リソース割り当てを設定するネットワーク素子と、
からなることを特徴とするOFDMAセルラシステム。
【請求項３５】
前記ネットワーク素子は、前記OFDMAシステムの集中型無線リソース制御素子であることを特徴とする請求項３４に記載のOFDMAセルラシステム。  
【請求項３６】
前記複数の移動局は、サービング基地局によりサーブされ、前記サービング基地局は、前記干渉計測結果を受信し、周波数再利用パターンを決定する前記ネットワーク素子を含むことを特徴とする請求項３４に記載のOFDMAセルラシステム。
【請求項３７】
前記複数の移動局は、複数のサービング基地局によりサーブされ、複数のサービング基地局のそれぞれは、前記干渉計測結果を受信し、近接する基地局間の調和により、周波数再利用パターンを決定することを特徴とする請求項３４に記載のOFDMAセルラシステム。
【請求項３８】
移動局をスケジューリングする方法であって、
（ａ）OFDMAセルラシステム中の基地局により干渉計測結果を得るステップと、
（ｂ）前記得られた干渉計測結果の一部に基づいて、無線リソース領域によりサーブされるように前記移動局をスケジューリングするステップと、
からなることを特徴とする移動局をスケジューリングする方法。
【請求項３９】
前記移動局は、幾つかの無線リソース領域に分割されたセル中に位置し、各無線リソース領域は、対応する周波数再利用パターンと応用されることを特徴とする請求項３８に記載の移動局をスケジューリングする方法。
【請求項４０】
（ａ）中で干渉計測結果を得るステップは、
前記移動局から前記干渉計測結果を受信するステップを含むことを特徴とする請求項３８に記載の移動局をスケジューリングする方法。
【請求項４１】
（ａ）中で干渉計測結果を得るステップは、
前記基地局により干渉統計値を計測し、前記干渉計測結果を得るステップを含むことを特徴とする請求項３８に記載の移動局をスケジューリングする方法。
【請求項４２】
（ｂ）中で前記移動局をスケジューリングするステップは、
前記移動局が前記無線リソース領域によりサーブされるように手配するステップを含み、前記移動局の受信した干渉電力は所定のスレショルド値より低いことを特徴とする請求項３８に記載の移動局をスケジューリングする方法。
【請求項４３】
（ｂ）中で前記移動局をスケジューリングするステップは、
前記移動局が前記無線リソース領域によりサーブされるように手配するステップを含み、前記移動局のSINRは所定のスレショルド比より高いことを特徴とする請求項３８に記載の移動局をスケジューリングする方法。
【請求項４４】
更に、
（ｃ）指定された時間―周波数領域上で、干渉統計値を計測するよう移動局に指示するステップを含み、前記サービング基地局は、前記指定された時間―周波数領域上で、信号を伝送しないことを特徴とする請求項３８に記載の移動局をスケジューリングする方法。
【請求項４５】
更に、
（ｃ）前記干渉計測結果を、前記OFDMAセルラシステムの近接する基地局に伝送するステップを含むことを特徴とする請求項３８に記載の移動局をスケジューリングする方法。
【請求項４６】
OFDMAセルラシステムであって、
移動局と、
干渉計測結果を得て、前記移動局が、前記の得られた干渉計測結果の一部に基づいて、無線リソース領域によりサーブされるよう手配するサービング基地局と、
からなることを特徴とするOFDMAセルラシステム。
【請求項４７】
前記移動局は干渉統計値を計測し、これにより、前記干渉統計結果を得て、前記サービング基地局は、前記移動局からの前記干渉計測結果を受信することを特徴とする請求項４６に記載のOFDMAセルラシステム。
【請求項４８】
前記サービング基地局は干渉統計値を計測し、これにより、前記干渉計測結果を得ることを特徴とする請求項４６に記載のOFDMAセルラシステム。
【発明の詳細な説明】
【技術分野】
【０００１】
この出願は、参照により本明細書にその主題が組み込まれる、２００７年１０月１６日付け出願の"A Measurement Mechanism for Adaptive Frequency Reuse in Cellular OFDMA System"と題された米国仮出願番号６０／９８０，４１３から、合衆国法典３５第１１９条の下で優先権を主張する。
【０００２】
本発明は、OFDMA（orthogonal frequency division multiple access）セルラシステムに関するものであって、特に、適応型周波数再利用の干渉計測メカニズムに関するものである。
【背景技術】
【０００３】
移動無線システムにおいて、周波数再利用は、少ない無線スペクトルリソースを再利用することによりシステム全体の容量を改善する重要な技術であるが、干渉が増加して、リンク性能の損失をもたらす。OFDMAセルラシステムにおいて、ユーザーが直交を維持するので、イントラセル干渉がない。しかし、同じ周波数バンドは、近接するセルを供給する基地局により再利用されるので、無線スペクトルの再利用はインターセル干渉を生じる。
【０００４】
図１（公知技術）は、OFDMAセルラシステム１のセル構造を示す図である。OFDMAセルラシステム１は、周波数再利用因子（frequency reuse factor）１/Kが１/４に等しいセル構造からなる。周波数再利用因子１/Kは、伝送時に、同じ周波数バンドをシェアすることができないセル数量を示す。図１の例で、認可されたスペクトル全部が四周波数バンドに分割され、各四つの近接するセルは四セルのクラスタを形成し、各セルは異なる周波数バンドによりサーブされる。一実施形態中、基地局BS４と基地局BS５は、同じ周波数バンド＃１をシェアして、それぞれ、セル２内に位置する移動局MS６をサーブし、セル３内に位置する移動局MS７をサーブする。結果、BS４が所望のデータ信号を伝送して、MS６と通信するとき、所望でない干渉信号をMS７に伝送する。このような干渉信号は、移動局MS７の信号対干渉プラス雑音比（signal to interference-plus-noise ratio 、SINR)を低下させ、よって、全体のサービス品質を低下させる。周波数再利用因子１/Kが小さいほど、通常、干渉源からのより大きな分離を結果するが(例えば、SQRT (3K)* R、 R は セル半径)、各セル中の利用可能な無線リソースが低くなる(例えば、認可されたスペクトルの1/K)。
【０００５】
フラクショナル周波数再利用(Fractional Frequency Reuse、FFR)等の他の技術がOFDMAセルラシステムに提案され、システム容量とサービス品質間の好ましい平衡を達成する。図２（公知技術）は、OFDMAセルラシステム１０に用いられるFFRを示す図である。OFDMAセルラシステム１０は、セル領域１とセル領域２に分割されるセル１１からなる。セル領域１はサービング基地局BS１２に近い地理的地域に位置し、セル領域２は、サービング基地局BS１２に遠い地理的地域に位置する。更に、OFDMAシステム１０の無線スペクトルは、時間領域で、第一フレームゾーンと第二フレームゾーンに分割される。適応型周波数再利用技術下で、異なるフレームゾーンと異なる周波数再利用因子が応用され、異なるセル領域に位置する移動局をサーブする。図２の例で、第一フレームゾーンは１/K＝１の高周波数再利用因子を有し、セル領域１をサーブし、第二フレームゾーンは１/K＝１/３の低周波数再利用因子を有し、セル領域２をサーブする。セル領域１に位置する移動局MS１７は、１/K＝１の第一フレームゾーンから、BS１２によりサーブされ、セル領域２に位置する移動局MS１８は、１/K＝１/３の第二フレームゾーンから、BS１２によりサーブされる。移動局MS１７は、セル１１の中央近くに位置するので、BS１２からの比較的強いデータ信号と、近接する干渉源からの比較的弱い干渉信号を受信すると推定される。一方、移動局MS１８は、セル１１の境界近くに位置し、BS１２からの比較的弱いデータ信号と、近接する干渉源から比較的強い干渉信号を受信すると推定される。これにより、高い再利用因子（1/K）を用いてMS１をサーブし、低い再利用因子（１/K）を用いてMS２をサーブすることにより、システム容量とサービス品質間のよい平衡が達成される。
【発明の概要】
【発明が解決しようとする課題】
【０００６】
残念ながら、地理的地域に基づいたFFR技術はいつも効果的であるわけではない。図２で示されるように、物理的構造１４は、移動局MS１８と干渉基地局BS１３間に位置する。よって、基地局BS１３の干渉は、比較的強い干渉信号１５をMS１７に、比較的弱い干渉信号１６をMS１８に伝送する。上述のセル領域に基づいた存在する周波数再利用パターン下で、セル領域１に位置するMS１７は、BS１３から強い干渉を被るが、高い１/K＝１でサーブされ、セル領域２に位置するMS１８は、よいサービス品質を享受するが、低い１/K＝１/３でサーブされる。これにより、地理的地域に基づいたFFR技術は、動的ネットワーク状況下で不適切である。移動無線システムのリンク性能とシステム容量は均衡を維持するために、動的に干渉を計測し、周波数再利用パターンを決定し、無線リソース割り当てを設定することができるようにすることが課題である。
【０００７】
干渉計測メカニズムは、様々な移動無線システム中に取り込まれている。例えば、公知のセルラFDMA（例えば、GSM）、或いは、CDMAシステム中、ナローバンド信号は、トランシーバにより送受信される。ナローバンド特徴により、FDMAシステムは、与えられた時間で、単一の信号時間−周波数領域上だけで、信号電力か干渉を計測することができる。FDMAシステムのRF中央周波数は調整が必要なので、このようなFDMAシステムは、異なる時間−周波数領域で、自由に計測することができない。対照的に、OFDMAシステム中、広帯域信号は、高速フーリエ変換（Fast Fourier Transfer、FFT）機能性を備えたトランシーバにより送受信される。このようなOFDMAシステムは、広いチャネル帯域幅で、あらゆる指定の時間−周波数領域上で、信号を容易に送受信することができる。これにより、OFDMAシステムのトランシーバは、RF中央周波数の変化なしでも、データ受信の時間−周波数領域と異なる時間−周波数領域上で、信号電力や干渉を自由に計測することができる。これは、他の公知のセルラFDMAやCDMAシステムと比較して、OFDMAシステムの際立った特徴である。
【課題を解決するための手段】
【０００８】
適応型周波数再利用技術下で、OFDMAセルラシステムの移動局は、適当な周波数再利用パターンを有する異なる無線リソース領域によりサーブされ、インターセル干渉を軽減し、システム容量を改善する。また、適応型周波数再利用は、更に、無線リソース割り当て、スケジューリング、電源割り当て、アンテナ配置、及び、チャネライゼーションフォーマットと調和して、更に積極的にシステムリソースを利用し、連帯して、システム性能を最適化する。
【０００９】
第一新規態様で、移動局は干渉統計値を計測し、干渉計測結果を得る。請求型、非請求型、或いは、自動干渉型の計測メカニズムが、干渉統計値の計測に用いられ得る。干渉計測結果は、その後、干渉統計値から直接得られるか、或いは、干渉統計値から間接的に計算して得られ得る。干渉計測結果は、干渉電力、信号対干渉比（signal to interference ratio 、SIR)、信号対干渉プラス雑音比（signal to interference-plus-noise ratio 、SINR)、干渉局の索引指標、好ましい、或いは、そうでない無線周波数領域の索引指標、或いは、その他のSIR/SINR形式を含み得る。一実施形態で、各移動局は、指定された時間−周波数領域上で、その干渉統計値を計測し、サービング基地局は、指定された時間−周波数領域上で、信号を伝送しない。他の実施形態で、各移動局は、指定された時間−周波数領域上で、その干渉統計値を計測し、サービング基地局は、指定された時間−周波数領域上で、信号を伝送する。サービング基地局は、指定された時間−周波数領域上で、信号を伝送し、サービング基地局と干渉基地局は、その領域で、信号を伝送し、移動局は、干渉基地局により伝送されるサービング基地局により伝送される信号を識別する。移動局は、その後、得られた干渉計測結果をサービング基地局か集中型ネットワーク制御素子に報告する。サービング基地局や制御素子は、受信した干渉計測結果に基づいて、適応型周波数再利用パターンを決定する。
【００１０】
第二新規態様で、OFDMAセルラシステム中の適応型周波数再利用は、干渉計測結果に基づいて、基地局で、集中型ネットワーク制御素子か内部BS調整により達成される。一実施形態中、無線リソース制御素子が干渉計測結果を受信し、周波数再利用パターンを決定し、受信した干渉計測結果に基づいて、無線リソース割り当てを設定する。他の実施形態中、基地局は、干渉計測結果を得て、近接する基地局間で、干渉計測結果と通信する。基地局は、その後、内部BS調整により得られた干渉計測結果に基づいて、周波数再利用パターンを決定し、無線リソース割り当てを設定する。
【００１１】
第三新規態様で、基地局は、干渉計測結果を得て、移動局が、適当な周波数再利用パターンにより、無線リソース領域とサーブするように手配する。ダウンリンク周波数再利用制御において、基地局は移動局から干渉計測結果を受信する。アップリンク周波数再利用制御において、基地局は、その干渉統計値を計測し、干渉計測結果を得る。基地局は、その後、移動局が、適当な無線リソース領域とサーブするように手配して、システム性能を最適化する。
【００１２】
他の実施形態と特徴は詳細な説明で記載される。この概要は、本発明を定義することを主張するものではない。本発明は請求項により定義される。
【図面の簡単な説明】
【００１３】
添付図面は、同様の符号が同様の要素を指し示しつつ、発明の実施形態を説明している。
【図１】公知技術のOFDMAセルラシステムのセル構造を示す図である。
【図２】公知技術のOFDMAセルラシステムにおけるフラクショナル周波数繰り返しを示す図である。
【図３】第一新規態様によるOFDMAセルラシステムを示す図である。
【図４】OFDMAセルラシステムにおける干渉統計値の計測と干渉計測結果の報告のフローチャートである。
【図５】請求型か非請求型干渉計測メカニズムを示す図である。
【図６】自動干渉計測メカニズムを示す図である。
【図７】干渉統計値の計測の例を示す図である。
【図８】第二新規態様によるOFDMAセルラシステムの第一実施形態を示す図である。
【図９】第二新規態様によるOFDMAセルラシステムの第二実施形態を示す図である。
【図１０】干渉計測結果に基づいて、周波数再利用パターンを決定し、無線リソース割り当てを設定するフローチャートである。
【図１１】干渉計測結果に基づいて、アンテナ配置を決定する一実施形態を示す図である。
【図１２】干渉計測結果に基づいて、チャネライゼーションフォーマットを決定する一実施形態を示す図である。
【図１３】第三新規態様によるOFDMAセルラシステムを示す図である。
【図１４】干渉計測結果に基づいて、移動局をスケジューリングするフローチャートである。
【図１５】干渉計測結果に基づいて、移動局をスケジューリングする例を示す図である。
【図１６Ａ】アップリンク電源制御と共にフラクショナル周波数再利用を応用する例を示す図（その１）である。
【図１６Ｂ】アップリンク電源制御と共にフラクショナル周波数再利用を応用する例を示す図（その２）である。
【発明を実施するための形態】
【００１４】
本発明の幾つかの実施形態を詳細に参照しつつ、その例を添付図面において説明する。
【００１５】
図３は、第一新規態様によるOFDMAセルラシステム２０を示す図である。OFDMAセルラシステム２０は、セル２１、サービング基地局BS２２、及び、セル２１中に位置する移動局MS２３、MS２４、及び、MS２５からなる複数の移動局、からなる。各移動局は、トランシーバ２６、計測モジュール２７、アナログベースバンド回路２８、デジタルベースバンド回路２９、及び、メモリ３０、からなる。OFDMAセルラシステム２０は、適応型周波数再利用（フラクショナル周波数再利用（FFR)とも称される）技術を用いて、インターセル干渉を軽減する。図３の例中、OFDMAセルラシステム２０中で得られる総周波数チャネルが３つの異なる無線リソース領域#1、 #2 、及び、 #3に分割される。無線リソース領域は、時間領域か、周波数ドメインか、時間領域と周波数ドメインの結合に分割される。各無線周波数領域は、対応する周波数再利用因子を利用し、セル２１中に位置する移動局をサーブする。第一新規態様によると、セル２１中に位置する各移動局は、各移動局により得られる干渉計測結果に基づいて、適当な周波数再利用因子によりサーブされる。図３で示されるように、ダウンリンクFFR制御にとって、各移動局は、まず、指定された時間−周波数領域上で、その干渉統計値を計測し、干渉計測結果を得る。干渉統計値は、干渉電力、信号対干渉比（SIR)、信号対干渉プラス雑音比（SINR)、或いは、その他の干渉情報の形式で示される。干渉計測結果は、干渉統計値から直接得られるか、間接的に、干渉統計値から計算することにより得られる。例えば、干渉計測結果は、干渉電力、SIR、SINR、干渉局の索引指標、好ましい、或いは、そうでない無線リソース領域の索引指標、或いは、その他のSIR/SINR派生形で示される。各移動局は、その後、干渉計測結果をサービング基地局BS２２に報告する。受信された干渉計測結果に基づいて、サービング基地局BS２２は、各移動局が、対応する無線リソース領域と適合する無線リソース領域によりサーブされるように手配し、これにより、リンク性能を最適化し、システム容量を最大化する。
【００１６】
図４は、OFDMAセルラシステムにおける干渉統計値の計測と干渉計測結果の報告を示すフローチャートである。異なる干渉計測メカニズムがある。請求型の干渉計測メカニズムの下で、移動局は、まず、干渉計測要求をサービング基地局に伝送する（ステップ３１）。請求後、移動局は、サービング基地局から干渉計測命令を受信する（ステップ３２）。ステップ３４で、移動局は、指定された時間−周波数領域上で、干渉統計値を計測し、これにより、干渉計測結果を得る。指定された時間−周波数領域は、干渉計測命令により提供される。最後のステップ３５で、移動局は、干渉計測結果をサービング基地局に報告する。非請求型の干渉計測メカニズム下で、移動局は、干渉計測結果を伝送しない。代わりに、サービング基地局は、移動局に、干渉計測を実行するように直接指示する。移動局は、その後、同じステップ３４と３５を実行し、その干渉統計値を計測し、干渉計測結果をサービング基地局に報告する。自動干渉計測メカニズム下で、干渉計測要求も、移動局とサービング基地局間で通信する干渉計測命令もない。代わりに、移動局は、サービング基地局により送信されるリソース割り当てマップを受信する。リソース割り当てマップをデコードすることにより、移動局は、干渉計測を実行するのに用いる指定された時間−周波数領域を得る。移動局は、その後、同じステップ３４と３５に進み、その干渉統計値を計測し、干渉計測結果をサービング基地局に報告する。
【００１７】
図５は、OFDMAセルラシステムのセル４０に用いられる請求型と非請求型の干渉計測メカニズムを示す図である。移動局MS４２、MS４３、及び、MS４４は、サービング基地局BS４１によりサーブされるセル４０中に位置する。図５の例中、セル４０のダウンリンク（DL）フレームは、時間領域で、N個の異なるフレームゾーン(ZONE #1-#N)に分割される。請求型干渉計測メカニズム下で、移動局MS４２、MS４３、及び、MS４４は、まず、サービング基地局BS４１に、それらの干渉統計値を計測するよう移動局に命令することを請求する。サービング基地局BS４１は、このような請求を受信した後、各移動局に、各フレームゾーン中の指定された時間−周波数領域上で、干渉計測を実行するように命令する。非請求型干渉計測メカニズム下で、サービング基地局BS４１は、移動局からの請求を受信しなくても、直接、干渉計測を開始する。
【００１８】
一実施形態で、移動局は、受信した信号がサービング基地局からなのか、他の干渉局からなのか識別することができない。移動局にとって、干渉計測を容易にするため、サービング基地局BS４１は、指定された時間−周波数領域上で、データ信号を伝送しない。その結果、指定された時間−周波数領域上で各移動局により受信された総信号電力は総受信干渉電力と同等で、よって、計測が容易である。他の実施形態中、移動局は、データ信号からの干渉信号を識別することができ、よって、総受信干渉電力、SIR、或いは、SINRを計測、及び、計算することができる。例えば、WiMAX等の無線通信システムで、各基地局から伝送されるパイロット信号は、固有のコードにコード化される。これにより、移動局は、そのサービング基地局から受信されたパイロット電力を用いて、干渉基地局から受信された干渉電力を得る。
【００１９】
図６は、OFDMAセルラシステムのセル４０に用いられる自動干渉計測メカニズムを示す図である。サービング基地局BS４１は、周期的に、リソース割り当てマップを、セル４０中に位置する全移動局に伝送する。一実施形態中、移動局MS４２、MS４３、及び、MS４４は、リソース割り当てマップをデコードし、サービング基地局BS２２が信号を伝送しない各フレームゾーン内で、デコードされた時間−周波数領域を得る。各移動局は、その後、各フレームゾーン中の指定された時間−周波数領域を割り当て、自動的に、干渉計測を実行する。例えば、指定された時間−周波数領域は、信号を伝送しないサービング基地局BS４１上のデコードされた時間−周波数領域のサブセットである。他の実施形態中（図６で示されない）、各モバイルは、どの時間−周波数領域を指定して、干渉計測を実行するのかサービング基地局BS４１に提案する。
【００２０】
OFDMAセルラシステムにおいて、計測モジュールを用いて、移動局の干渉統計値を計測する様々な手段がある。本発明において、計測モジュール（例えば、図３の計測モジュール２７）は、干渉統計値を計測するプログラム可能な、或いは、非プログラム式のハードウェハ、或いは、移動局中に組み込まれるソフトウェアである。
【００２１】
図７は、OFDMAセルラシステムのセル４０中に位置する移動局MS４２の干渉統計値の計測の例を示す図である。図７の例中、移動局MS４２は、サービング基地局BS４１によりサーブされ、近い干渉局BS４５が到達できる範囲内にある。図７で示されるように、移動局MS４２が、干渉信号からのデータ信号を識別することができる場合、その後、干渉局BS４５が干渉信号４６をMS４２に伝送すると同時に、サービング基地局BS４１もデータ信号４７をMS４２に伝送する。第一例で、移動局MS４２は、各基地局の参照信号電力（例えば、パイロット信号電力）を計測することにより干渉電力を得て、且つ、参照信号電力は、総受信信号電力に比例する。第二例で、移動局MS４２は干渉信号４６を受信して、干渉局BS４５により用いられるプロコードマトリクス指標（PMI）を識別する。第三例で、移動局MS４２は、干渉信号４６からのデータ信号４７を識別し、MS４２により受信されるSIR、或いは、SINRを計測する。
【００２２】
移動局が干渉統計値の選択形式を計測した後、干渉計測結果を得る。干渉計測結果は、計測された干渉統計値と同じである。干渉計測結果は、干渉統計値から、間接的に計算することもできる。一実施形態中、干渉計測結果は、干渉基地局を識別する指標値により示される。移動局が、総受信干渉信号から特定の干渉基地局の信号を識別する場合、その後、最も著しい干渉を有する少なくとも一つの干渉局と関係する指標を報告する。例えば、指標は最強のSINR、最低の干渉電力、或いは、他の情報と関連する。特定の干渉基地局は、移動局により全干渉基地局（サービング基地局を含まない）から選択される。一般に、特定の干渉基地局は移動局により選択される。しかし、ある状況下では、サービング基地局は、移動局に、特定の干渉基地局を報告するように指示する。
【００２３】
他の実施形態中、干渉計測結果は、計測された干渉統計値に基づいて計算された、好ましい、或いは、そうでない無線リソース領域を識別する指標により示される。移動局の異なる時間−周波数領域の干渉統計値はかなり異なるので、移動局は、異なる時間−周波数領域の干渉計測を重複することにより、異なる干渉統計値を収集することができる。異なる時間−周波数領域で、干渉統計値を収集した後、移動局は、好ましい、或いは、そうでない無線リソース領域を識別する指標を選択することができる。例えば、好ましい無線リソース領域は、最高のSINR、或いは、最低の干渉電力により識別され、好ましくない無線リソース領域は、最低のSINR、或いは、最高の干渉電力により識別される。
【００２４】
移動局により、実際の干渉計測から得られる干渉計測結果は、動的ネットワーク状態を反映し、地理的位置から推測、或いは、プリアンブルから計測される干渉電力より更に正確である。これにより、正確な干渉計測結果に基づいて、サービング基地局、或いは、その他のネットワーク素子（例えば、ネットワークオペレータ、ネットワークコントローラー、或いは、他の同様の素子）は、適応型周波数再利用を更に効果的に応用して、第四世代４G携帯通信システムに必要な、更に高いシステム容量を達成することができる。
【００２５】
第二新規態様で、移動通信システムは、干渉計測結果に基づいて、適応型周波数再利用技術を用いて、リンク性能を最適化し、システム容量を改善する。時間−周波数再利用が異なるセルに割り当てられる柔軟性により、適応型周波数再利用は、特に、OFDMAセルラシステムに適する。適応型周波数再利用技術下で、移動局は、異なる無線リソース領域と適当な周波数再利用パターンによりサーブされるように手配する。また、適応型周波数再利用は、更に、無線リソース割り当て、スケジューリング、電源割り当て、アンテナ配置、及び、チャネライゼーションフォーマットと調和して、更に積極的にシステムリソースを利用し、連帯して、システム性能を最適化する。OFDMAセルラシステムにおいて、適応型周波数再利用は、集中型ネットワーク制御素子か、基地局の内部BS調整により達成される。
【００２６】
図８は、第二新規態様によるOFDMAセルラシステム５０の第一実施形態を示す図である。OFDMAセルラシステム５０は、集中型無線リソース制御素子５１、セル５２−５５を含む複数のセル、BS５６−５９を含む複数のサービング基地局、及び、複数の移動局、からなる。図８の例で、無線リソース制御素子５１は、まず、基地局BS５６−５９から（或いは、移動局から直接）、干渉計測結果を受信する。その後、無線リソース制御素子５１は、受信した干渉計測結果とその他のネットワーク設定パラメータに基づいて、周波数再利用パターンを決定する。      
【００２７】
図９は、第二新規態様によるOFDMAセルラシステムの第二実施形態を示す図である。図９の例で、サービング基地局BS５６−５９は、まず、移動局から干渉計測結果を受信する。サービング基地局BS５６−５９は、その後、受信干渉計測と他のネットワーク設定パラメータに基づいて、互いに通信して、周波数再利用パターンを決定する。一例中、セル５４のダウンリンクフレームは、周波数再利用因子（１/K）が、それぞれ、１、１/２、及び、１/４である３個の無線リソース領域に分割され、セル５４中に位置する三個の移動局をサーブする。
【００２８】
図１０は、第二新規態様によるOFDMAセルラシステムの適応型周波数再利用を応用するフローチャートである。OFDMAセルラシステムが、集中型無線リソース制御素子を有する場合、無線リソース制御素子は、サービング基地局から干渉計測結果を受信する（ステップ６１）。一方、利用可能な集中型制御素子がない場合、サービング基地局は、移動局から干渉計測結果を受信する（ステップ６２）。ステップ６３で、無線リソース制御素子、或いは、サービング基地局は、受信された干渉計測結果に基づいて、周波数再利用パターンを決定する。更に詳細には、以下の項目で決定される：各セルに分配される無線リソース領域の数量、各無線リソース領域に使用される周波数再利用因子、及び、各無線リソース領域に用いられる時間−周波数領域である。ステップ６４で、無線リソース制御素子、或いは、サービング基地局は、決定された周波数再利用パターンに基づいて、無線再利用割り当てを設定する。更に詳細には、以下の項目で決定される：各無線リソース領域の伝送電力、各無線リソース領域のアンテナ配置（例えば、光線パターン、プリコーディングベクトル）、及び、各無線リソース領域のチャネライゼーションフォーマット（例えば、マルチセル上の置換ルール）である。
【００２９】
周波数再利用パターンの決定を容易にするため、移動局は、対応する周波数再利用因子と関係する異なる無線リソース領域上で、それらの干渉統計値を計測する。一実施形態中、各移動局は、異なる無線リソース領域上で、受信された干渉電力、或いは、SINRを計測し、その後、計測された干渉電力、或いは、SINRをそのサービング基地局に報告する。無線リソース制御素子は、計測された干渉電力、或いは、SINRを受信し、その後、各セル中に位置する移動局数量、或いは、異なる無線リソース領域上の各移動局のSINRに基づいて、周波数再利用パターンを決定する。一例で、周波数再利用パターンは、平均干渉電力が最小化するか、或いは、各移動局の干渉電力が所定スレショルドと比較される（例えば、各移動局の干渉電力が所定スレショルド値より小さくなる）ように決定される。他の例で、周波数再利用パターンは、平均SINRが最大化されるか、或いは、各移動局のSINRが所定スレショルド値と比較される（例えば、各移動局のSINRは所定スレショルド値より大きくなる）ように決定される。
【００３０】
図１１は、OFDMAセルラシステム５０中、受信された干渉計測結果に基づいて、アンテナ配置を決定する一実施形態を示す図である。図１１の例で、基地局BS５６は、元は、マトリクス指標(PMI) #kをプレコードすることにより、移動局MS６８をサーブする。第二新規態様による適応型周波数再利用技術下で、移動局MS６９は計測を実行し、干渉計測結果（例えば、干渉局BS５６に用いられるPMI指標#k）をそのサービング基地局BS５７に報告する。基地局BS５７は、その後、干渉計測結果を無線リソース制御素子５１に伝送する。移動局MS６９は、MS６８に接近するので、MS６９は、干渉局BS５６に用いられるPMI#kにより、強い干渉を被る。その結果、このような強い干渉を、無線リソース制御素子５１により軽減するために、基地局BS５７はBS５６に、その光線パターンを変更するよう要求する。
【００３１】
図１２は、OFDMAセルラシステム５０中、受信された干渉計測結果に基づいて、チャネライゼーションフォーマットを決定する一実施形態を示す図である。局所型チャネライゼーション工程で、各ロジカルチャネルの物理的サブキャリアは、周波数ドメインの局所領域上に分布する。異なるセル中のチャネライゼーションのサブキャリア配列は同じように維持される。その結果、特定の干渉源からの干渉は、大変顕著である。交互型チャネライゼーション工程で、各ロジカルチャネルの物理的サブキャリアは、周波数ドメインでインターリブする。異なるセル中のチャネライゼーションのサブキャリア配列は、擬似ランダム方式によって異なる。その結果、特定の干渉源からの干渉がランダム化される。通常、無線リソース制御素子５１は、局所型チャネライゼーション方法を用いて、インターセル干渉と調和することができる。しかし、干渉が調和するには動的過ぎる場合、サービング基地局は、単に、特定の無線リソース領域上で伝送される全信号をランダム化して、交互型チャネライゼーション方法を用いて、干渉ランダム化の効果を達成する。干渉計測結果は、OFDMAセルラシステムが、異なるチャネライゼーション方法、或いは、混合チャネライゼーション方法を利用して、インターセル干渉を軽減するのを助ける。
【００３２】
図１３は、第三新規態様によるOFDMAセルラシステム８０を示す図である。OFDMAセルラシステム８０は、セル８１、セル８１をサーブするサービング基地局BS８２、セル８１中に位置する移動局MS８３、MS８４からなる。第三新規態様によると、サービング基地局BS８２は、ダウンリンクFFR制御中で、移動局から干渉計測結果を受信するか、或いは、アップリンクFFR制御中で、干渉統計値を計測する。サービング基地局BS８２は、その後、干渉計測結果に基づいて、移動局が、適当な無線周波数領域によりサーブされるように手配する。      
【００３３】
図１４は、干渉計測結果に基づいて、移動局が、適当な無線リソース領域によりサーブされるように手配するフローチャートである。ダウンリンクFFR制御において、サービング基地局は、各移動局に、異なる無線リソース領域下で、指定された時間−周波数領域上で、その干渉統計値を計測するように指示する（ステップ９１）。ステップ９２で、サービング移動局は、各移動局から干渉計測結果を受信する。ステップ９５で、サービング移動局は、各移動局が、対応する周波数再利用因子下で、適応無線リソース領域によりサーブされるように手配し、ネットワーク性能が最適化される。アップリンクFFR制御で、サービング基地局は、自身の干渉統計値を計測する（ステップ９３）。ステップ９４で、サービング基地局は、干渉計測結果を他の基地局、或いは、他の集中型ネットワーク制御素子に伝送する。ステップ９５で、適当周波数再利用パターンは、干渉計測結果に基づいて、サービング基地局単独で決定されるか、或いは、内部BS調整により決定される。
【００３４】
図１５は、OFDMAセルラシステム８０中、干渉計測結果に基づいて、移動局をスケジューリングする例を示す図である。OFDMAセルラシステム８０は、近隣するセル８１にサーブする干渉基地局BS８５を含む。図１５の例で、物理的構造８６は、移動局MS８４と干渉基地局BS８５間に位置する。MS８３は、高周波数再利用因子（１/K＝１）を使用し、MS８４は低周波数再利用因子（１/K＝１/３）を使用し、その後、MS８３は、干渉局BS８５から強い干渉信号８７を受信し、MS８４は干渉信号を受信しない。一方、MS８３が低周波数再利用因子（１/K＝１/３）を使用し、MS８４が高周波数再利用因子（１/K＝１）を使用する場合、MS８３は、干渉局BS８５から干渉信号を受信せず、MS８４は、物理的構造８６によりブロックされる弱い干渉信号８８を受信する。これにより、サービング基地局BS８２に報告される干渉計測結果に基づいて、BS８２は、移動局MS８３が、周波数再利用因子１/K＝１/３の無線リソース領域でサーブされるように手配し、MS８４が、周波数再利用因子１/K＝１の無線リソース領域でサーブされるように手配する。各移動局の干渉計測結果に基づいて、周波数再利用パターンを動的に決定することにより、無線リソースが割り当てられ、高システム容量とよいサービス品質間の好均衡を達成する。
【００３５】
図１６Aは、干渉計測結果に基づいて、内部BS調整により、アップリンク電源制御と共に適応型周波数再利用を応用する例を示す図である。無線リソース領域の他のセルのターミナルレベル(IoT)上の標的干渉が小さい場合、無線リソース領域に割り当てられた移動局は、低電力で伝送するように指示され、他のセルユーザーを妨害しないようにする。一方、無線リソース領域の他のセルの標的IoTレベルが高い場合、無線リソース領域に割り当てられる移動局は、高電力を伝送できるようにする。システム全体の干渉を制御するため、サービング基地局は、他の基地局と調和して、無線リソース分配と対応する標的IoTレベルを調整する。同様に、図１６Bは、SINRベースのアップリンク電源制御の例で、異なる標的SINRは、異なる無線リソース領域を指定する。
【００３６】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
2011502380.tif 000003
【図２】
2011502380.tif 000004
【図３】
2011502380.tif 000005
【図４】
2011502380.tif 000006
【図５】
2011502380.tif 000007
【図６】
2011502380.tif 000008
【図７】
2011502380.tif 000009
【図８】
2011502380.tif 000010
【図９】
2011502380.tif 000011
【図１０】
2011502380.tif 000012
【図１１】
2011502380.tif 000013
【図１２】
2011502380.tif 000014
【図１３】
2011502380.tif 000015
【図１４】
2011502380.tif 000016
【図１５】
2011502380.tif 000017
【図１６Ａ】
2011502380.tif 000018
【図１６Ｂ】
2011502380.tif 000019
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
干渉計測結果を提供する方法であって、少なくとも一つの移動局により、OFDMAセルラシステムを支援して、周波数再利用を可能にし、
（ａ）時間−周波数領域上で、少なくとも一つの移動局（その移動局はサービング基地局によりサーブされるセル内に位置する）により、干渉統計値を計測し、それによりOFDMAセルラシステム中の干渉計測結果を得るステップと、
（ｂ）前記干渉計測結果を前記サービング基地局に報告するステップと、
からなり、
前記移動局は、サービング基地局をサーブするセル中に位置することを特徴とする干渉計測結果を提供する方法。
【請求項２】
前記干渉計測結果は、前記干渉統計値により生成され、前記干渉計測結果は、少なくとも一つの干渉電力、信号対干渉比SIR、信号対干渉プラス雑音比SINR、干渉局の第一索引指標、及び、無線リソース領域の第二索引指標を含むことを特徴とする請求項１に記載の干渉計測結果を提供する方法。  
【請求項３】
前記第一索引は、一つ、或いは、それ以上の索引値を含み、前記干渉局の一つ、或いは、それ以上のプリコーディングベクトルの指標であることを特徴とする請求項２に記載の干渉計測結果を提供する方法。
【請求項４】
前記第二索引は、好ましい無線リソース領域の指標値と、好ましくない無線リソース領域の指標値中の少なくとも一つを含み、前記好ましい無線リソース領域は、最高SINRか最低干渉電力を有することにより定義され、前記の好ましくない無線リソース領域は、最低SINRか最高干渉電力により定義されることを特徴とする請求項２に記載の干渉計測結果を提供する方法。
【請求項５】
前記時間―周波数領域は、前記サービング基地局から伝送される無線リソース割り当て情報に基づいて得られることを特徴とする請求項１に記載の干渉計測結果を提供する方法。
【請求項６】
更に、
（ｃ）前記サービング基地局から干渉計測指示を受信するステップと、
（ｄ）前記サービング基地局に干渉計測要求を伝送するステップと、
からなり、
前記指示は、前記指定された時間―周波数領域を示すことを特徴とする請求項１に記載の干渉計測結果を提供する方法。  
【請求項７】
前記セルは異なる無線リソース領域に分割され、前記移動局は、対応する周波数再利用パターンを有する対応無線リソース領域によりサーブされることを特徴とする請求項２に記載の干渉計測結果を提供する方法。
【請求項８】
前記干渉統計値は、異なる無線リソース領域上で、前記移動局により計測されることを特徴とする請求項７に記載の干渉計測結果を提供する方法。  
【請求項９】
前記干渉統計値は、適応型周波数再利用に用いられることを特徴とする請求項７に記載の干渉計測結果を提供する方法。
【請求項１０】
干渉計測結果を提供する移動局であって、OFDMAセルラシステムを支援して、周波数再利用を可能にし、
干渉統計値を計測し、前記OFDMAセルラシステム中の前記干渉計測結果を得る計測モジュールからなり、前記移動局は、前記干渉計測結果をネットワーク素子に報告することを特徴とする干渉計測結果を提供する移動局。
【請求項１１】
前記計測モジュールは、指定された時間―周波数領域上で、前記干渉統計値を計測し、前記ネットワーク素子は、前記指定された時間―周波数領域上で信号を伝送しないことを特徴とする請求項１０に記載の干渉計測結果を提供する移動局。
【請求項１２】
前記計測モジュールは、指定された時間―周波数領域上で、前記干渉統計値を計測し、前記計測モジュールは、更に、特定の干渉局から伝送される少なくとも一つの干渉信号を識別し、前記ネットワーク素子は、前記指定された時間―周波数領域上で信号を伝送することを特徴とする請求項１０に記載の干渉計測結果を提供する移動局。  
【請求項１３】
無線リソース割り当てを設定する方法であって、
（ａ）OFDMAセルラシステムのセル中に位置する移動局の干渉計測結果を得るステップと、
（ｂ）周波数結果を決定し、前記干渉計測結果の一部に基づいて、対応する無線リソース割り当てを設定するステップと、
からなることを特徴とする無線リソース割り当てを設定する方法。
【請求項１４】
各セルのフレームは、無線リソース領域に分割され、各移動局は、対応する周波数再利用パターンを有する対応無線リソース領域によりサーブされることを特徴とする請求項１３に記載の無線リソース割り当てを設定する方法。
【請求項１５】
OFDMAセルラシステムであって、
干渉統計値を計測し、干渉計測結果を得る複数の移動局と、
前記干渉計測結果を受信し、周波数再利用パターンを決定して、受信された干渉計測結果の一部に基づいて、対応無線リソース割り当てを設定するネットワーク素子と、
からなることを特徴とするOFDMAセルラシステム。
【請求項１６】
前記ネットワーク素子は、前記OFDMAシステムの集中型無線リソース制御素子であることを特徴とする請求項１５に記載のOFDMAセルラシステム。  
【請求項１７】
前記複数の移動局は、サービング基地局によりサーブされ、前記サービング基地局は、前記干渉計測結果を受信し、周波数再利用パターンを決定する前記ネットワーク素子を含むことを特徴とする請求項１５に記載のOFDMAセルラシステム。
【請求項１８】
前記複数の移動局は、複数のサービング基地局によりサーブされ、複数のサービング基地局の各一つは、前記干渉計測結果を受信し、近接する基地局間の調和により、周波数再利用パターンを決定することを特徴とする請求項１５に記載のOFDMAセルラシステム。  
【請求項１９】
移動局をスケジューリングする方法であって、
（ａ）OFDMAセルラシステム中の基地局により干渉計測結果を得るステップと、
（ｂ）前記得られた干渉計測結果の一部に基づいて、無線リソース領域により前記移動局をスケジューリングするステップと、
からなることを特徴とする移動局をスケジューリングする方法。
【請求項２０】
前記移動局は、無線リソース領域の数量に分割されたセル中に位置し、各無線リソース領域は、対応する周波数再利用パターンと応用されることを特徴とする請求項１９に記載の移動局をスケジューリングする方法。
【請求項２１】
更に、
（ｃ）移動局に、指定された時間―周波数領域上で、干渉統計値を計測するよう指示するステップを含むことを特徴とする請求項１９に記載の移動局をスケジューリングする方法。
【請求項２２】
更に、
（ｃ）前記干渉計測結果を、前記OFDMAセルラシステムの近接する基地局に伝送するステップを含むことを特徴とする請求項１９に記載の移動局をスケジューリングする方法。
【手続補正３】
【補正対象書類名】明細書
【補正対象項目名】００１６
【補正方法】変更
【補正の内容】
【００１６】
図４は、OFDMAセルラシステムにおける干渉統計値の計測と干渉計測結果の報告を示すフローチャートである。異なる干渉計測メカニズムがある。請求型の干渉計測メカニズムの下で、移動局は、まず、干渉計測要求をサービング基地局に伝送する（ステップ３１）。請求後、移動局は、サービング基地局から干渉計測命令を受信する（ステップ３２）。ステップ３４で、移動局は、指定された時間−周波数領域上で、干渉統計値を計測し、これにより、干渉計測結果を得る。指定された時間−周波数領域は、干渉計測命令により提供される。最後のステップ３５で、移動局は、干渉計測結果をサービング基地局に報告する。非請求型の干渉計測メカニズム下で、移動局は、干渉計測結果を伝送しない。代わりに、サービング基地局は、移動局に、干渉計測を実行するように直接指示する。移動局は、その後、同じステップ３４と３５を実行し、その干渉統計値を計測し、干渉計測結果をサービング基地局に報告する。自動干渉計測メカニズム下で、干渉計測要求も、移動局とサービング基地局間で通信する干渉計測命令もない。代わりに、移動局は、サービング基地局により送信されるリソース割り当てマップを受信する（ステップ３３）。リソース割り当てマップをデコードすることにより、移動局は、干渉計測を実行するのに用いる指定された時間−周波数領域を得る。移動局は、その後、同じステップ３４と３５に進み、その干渉統計値を計測し、干渉計測結果をサービング基地局に報告する。
【手続補正４】
【補正対象書類名】明細書
【補正対象項目名】００１９
【補正方法】変更
【補正の内容】
【００１９】
図６は、OFDMAセルラシステムのセル４０に用いられる自動干渉計測メカニズムを示す図である。サービング基地局BS４１は、周期的に、リソース割り当てマップを、セル４０中に位置する全移動局に伝送する。一実施形態中、移動局MS４２、MS４３、及び、MS４４は、リソース割り当てマップをデコードし、サービング基地局BS２２が信号を伝送しない各フレームゾーン内で、デコードされた時間−周波数領域を得る。各移動局は、その後、各フレームゾーン中の指定された時間−周波数領域を割り当て、自動的に、干渉計測を実行する。例えば、指定された時間−周波数領域は、信号を伝送しないサービング基地局BS４１上のデコードされた時間−周波数領域のサブセットである。他の実施形態中（図６で示されない）、各移動局は、どの時間−周波数領域を指定して、干渉計測を実行するのかサービング基地局BS４１に提案する。
【手続補正５】
【補正対象書類名】明細書
【補正対象項目名】００２７
【補正方法】変更
【補正の内容】
【００２７】
図９は、第二新規態様によるOFDMAセルラシステムの第二実施形態を示す図である。図９の例で、サービング基地局BS５６−５９は、まず、移動局から干渉計測結果を受信する。サービング基地局BS５６−５９は、その後、受信干渉計測結果と他のネットワーク設定パラメータに基づいて、互いに通信して、周波数再利用パターンを決定する。一例中、セル５４のダウンリンクフレームは、周波数再利用因子（１/K）が、それぞれ、１、１/２、及び、１/４である３個の無線リソース領域に分割され、セル５４中に位置する三個の移動局をサーブする。
【手続補正６】
【補正対象書類名】明細書
【補正対象項目名】００３３
【補正方法】変更
【補正の内容】
【００３３】
図１４は、干渉計測結果に基づいて、移動局が、適当な無線リソース領域によりサーブされるように手配するフローチャートである。ダウンリンクFFR制御において、サービング基地局は、各移動局に、異なる無線リソース領域下で、指定された時間−周波数領域上で、その干渉統計値を計測するように指示する（ステップ９１）。ステップ９２で、サービング基地局は、各移動局から干渉計測結果を受信する。ステップ９６で、サービング基地局は、各移動局が、対応する周波数再利用因子下で、適応無線リソース領域によりサーブされるように手配し、ネットワーク性能が最適化される。アップリンクFFR制御で、サービング基地局は、自身の干渉統計値を計測する（ステップ９３）。ステップ９４で、サービング基地局は、干渉計測結果を他の基地局、或いは、他の集中型ネットワーク制御素子に伝送する。ステップ９５で、適当周波数再利用パターンは、干渉計測結果に基づいて、サービング基地局単独で決定されるか、或いは、内部BS調整により決定される。
【手続補正７】
【補正対象書類名】図面
【補正対象項目名】図１１
【補正方法】変更
【補正の内容】
【図１１】
2011502380.tif 000020
【手続補正８】
【補正対象書類名】図面
【補正対象項目名】図１４
【補正方法】変更
【補正の内容】
【図１４】
2011502380.tif 000021
【国際調査報告】
2011502380.tif 000022
2011502380.tif 000023
2011502380.tif 000024
2011502380.tif 000025